(57)【要約】  情報記録媒体（１００）は、（ｉ）第１情報が記録される又は記録された第１記録トラックを有する第１記録層（Ｌ０層）と、（ｉｉ）第２情報が記録される又は記録された第２記録トラックを有する第２記録層（Ｌ１層）とを少なくとも備え、（ｉｉｉ）第１記録トラック、及び第２記録トラックのうち少なくとも一方において、ウォブリングされたエンボスピット列が予め形成されている。【特許請求の範囲】
【請求項１】
第１情報が記録される又は記録された第１記録トラックを有する第１記録層と、
第２情報が記録される又は記録された第２記録トラックを有する第２記録層と
を少なくとも備え、
前記第１記録トラック、及び前記第２記録トラックのうち少なくとも一方において、ウォブリングされた一のエンボスピット列が予め形成されていることを特徴とする情報記録媒体。
【請求項２】
前記第１記録層は、第１波長の第１レーザ光によって、前記第１情報を記録可能であり、
前記第２記録層は、前記第１記録層を透過すると共に、前記第１波長より長い第２波長の第２レーザ光によって、前記第２情報を記録可能であり、
少なくとも前記第２記録トラックにおいて、前記一のエンボスピット列が予め形成されていることを特徴とする請求の範囲第１項に記載の情報記録媒体。
【請求項３】
前記第１波長は、略青色から略青紫色の光の波長であり、前記第２波長は、略赤色の光の波長であることを特徴とする請求の範囲第２項に記載の情報記録媒体。
【請求項４】
前記第２記録層は、前記第１記録層を透過したレーザ光によって、前記第２情報を記録可能であり、
少なくとも前記第１記録トラックにおいて、前記一のエンボスピット列が予め形成されていることを特徴とする請求の範囲第１項に記載の情報記録媒体。
【請求項５】
前記第１記録層は、レーザ光によって、前記第１情報を記録可能であり、
前記第２記録層は、前記一のエンボスピット列が予め形成されていることを特徴とする請求の範囲第１項に記載の情報記録媒体。
【請求項６】
前記第２記録層は、追記型又は書換型の記録層であることを特徴とする請求の範囲第４項に記載の情報記録媒体。
【請求項７】
前記第２記録トラックにおいて、ウォブリングしない他のエンボスピット列が予め形成されていることを特徴とする請求の範囲第４項に記載の情報記録媒体。
【請求項８】
前記第１記録層、及び前記第２記録層のうち少なくとも一方は、前記一のエンボスピット列が予め形成されているか否かを示す識別情報を記録可能な識別情報記録エリアを有することを特徴とする請求の範囲第１項に記載の情報記録媒体。
【請求項９】
第１情報が記録される又は記録された第１記録トラックを有する第１記録層と、第２情報が記録される又は記録された第２記録トラックを有する第２記録層とを少なくとも備え、前記第１記録トラック、及び前記第２記録トラックのうち少なくとも一方において、ウォブリングされたエンボスピット列が予め形成されている情報記録媒体に対して、前記第１記録層を透過したレーザ光によって、少なくとも前記第２記録層を再生する情報再生装置であって、
前記第１情報、及び前記第２情報を再生する再生手段と、
前記第１記録層における第１光反射率、及び前記第２記録層における第２光反射率が規定の範囲内にあるか否かを判定する第１判定手段と、
前記第１記録トラック、及び前記第２記録トラックがウォブリングしているか否かを判定する第２判定手段と、
前記第１判定手段、及び前記第２判定手段による判定に基づいて、前記第１記録層、及び前記第２記録層のうち少なくとも一方を再生するように、前記再生手段を制御する制御手段と
を備えることを特徴とする情報再生装置。
【請求項１０】
第１情報が記録される又は記録された第１記録トラックを有する第１記録層と、第２情報が記録される又は記録された第２記録トラックを有する第２記録層とを少なくとも備え、前記第１記録トラック、及び前記第２記録トラックのうち少なくとも一方において、ウォブリングされたエンボスピット列が予め形成されている情報記録媒体に対して、前記第１記録層を透過したレーザ光によって、少なくとも前記第２記録層を再生する再生手段を備えた情報再生装置における情報再生方法であって、
前記第１記録層における第１光反射率、及び前記第２記録層における第２光反射率が規定の範囲内にあるか否かを判定する第１判定工程と、
前記第１記録トラック、及び前記第２記録トラックがウォブリングしているか否かを判定する第２判定工程と、
前記第１判定工程、及び前記第２判定工程による判定に基づいて、前記第１記録層、及び前記第２記録層のうち少なくとも一方を再生するように、前記再生手段を制御する制御工程と
を備えることを特徴とする情報再生方法。
【請求項１１】
請求の範囲第９項に記載の情報再生装置に備えられたコンピュータを制御する再生制御用のコンピュータプログラムであって、該コンピュータを、前記再生手段、前記第１判定手段、前記第２判定手段、及び前記制御手段のうち少なくとも一部として機能させることを特徴とするコンピュータプログラム。
【発明の詳細な説明】
【技術分野】
【０００１】
本発明は、例えば２層型の光ディスク等の多層型の情報記録媒体、情報再生装置及び方法、並びに、再生制御用のコンピュータプログラムの技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、特許文献１、２等に記載されているように、同一基板上に複数の記録層が積層、または貼り合わされてなるデュアルレイヤ型若しくはダブルレイヤ型、又は多層型の光ディスク等も開発されている。より具体的には、２層型の光ディスクは、１層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。また、２層目として、該半透過反射膜の奥側に接着層等の中間層を介して位置する第２記録層（本願では適宜「Ｌ１層」と称する）を有しており、更にその奥側に位置する反射膜を有する。そして、このような２層型の光ディスクを記録する、ＣＤレコーダ等の情報記録装置では、第１記録層に対して記録用のレーザ光を集光することで、第１記録層に対して情報を加熱等による非可逆変化記録方式や書換え可能方式で記録し、第２記録層に対して該レーザ光を集光することで、第２記録層に対して情報を加熱等による非可逆変化記録方式や書換え可能方式で記録することになる。【０００３】
特に、特許文献３に掲載されているように、例えばブルーレイ（Blue-ray）、赤色レーザ光、赤外光等の２種類以上の異なる波長のレーザ光によって夫々記録可能な記録層を少なくとも２つ備えた、所謂、ハイブリッド型（Hybrid Type）の光ディスク等の情報記録媒体において、中間層（以下、適宜「波長選択層」と称す）を２層間に挿入させる手法が提案されている。この中間層は、相対的に短い一の波長のレーザ光に対する光反射率は相対的に高く、相対的に長い他の波長のレーザ光に対する光反射率は相対的に低いという、所謂、波長選択性を保持する。従って、一の波長のレーザ光を射出する再生装置でも、他の波長のレーザ光を射出する再生装置でも、当該記録媒体を再生できるので、再生互換性を維持することが可能となる。具体的には、特許文献４に掲載されているように、例えばＤＶＤ−ＲＯＭ等の再生専用型の記録層と、例えばＤＶＤ−Ｒ等の記録型の記録層とを備えたハイブリッド型の光ディスクも考案されている。また、非特許文献１に掲載されているように、ＣＤ−ＲＯＭとＢＤ−ＲＯＭとを備えたハイブリッド型の光ディスクも考案されている。【０００４】
他方で、特許文献５に掲載されているように、単層型の光ディスクにおいて、ピットを揺動（ウォブリング（Wobbling））させる手法についても考案されている。【０００５】
【特許文献１】特開２０００−３１１３４６号公報
【特許文献２】特開２００１−２３２３７号公報
【特許文献３】特開平９−２３７４３８号公報
【特許文献４】特開平１１−３９７１０号公報：波長依存性膜：サムソン
【特許文献５】特表２００３−５３２９７０号公報：フィリップス
【特許文献６】特開平９−９１７５１号公報：三井化学
【非特許文献１】日経エレクトロニクス、[online]、２００４年１０月１８日、[２００５年３月４日検索]、インターネット＜URL：http：//nikkeibp.jp/wcs/leaf/CID/onair/jp/jp_print/337888＞
【発明の開示】
【発明が解決しようとする課題】
【０００６】
しかしながら、上述した複数の記録層を有するハイブリッド型の光ディスク等の多層型の情報記録媒体が、例えば再生専用の記録層を少なくとも一つ備える場合、従来の情報記録再生装置では、当該情報記録媒体を認識することができず、記録又は再生を行うことが困難となってしまう可能性があるという技術的な問題点を有している。【０００７】
本発明は、例えば上述した従来の問題点に鑑みなされたものであり、例えば再生専用の記録層を少なくとも一つ含む複数の記録層を有する多層型の情報記録媒体に対して、従来の情報再生装置や情報記録装置によって、より簡便な再生や記録を可能ならしめる情報記録媒体、情報再生装置及び方法、並びに再生制御用のコンピュータプログラムを提供することを課題とする。
【課題を解決するための手段】
【０００８】
（情報記録媒体）
以下、本発明の情報記録媒体について説明する。【０００９】
上記課題を解決するために、本発明の情報記録媒体は、第１情報が記録される又は記録された第１記録トラックを有する第１記録層（Ｌ０層）と、第２情報が記録される又は記録された第２記録トラックを有する第２記録層（Ｌ１層）とを少なくとも備え、前記第１記録トラック、及び前記第２記録トラックのうち少なくとも一方において、ウォブリングされた一のエンボスピット列が予め形成されている。【００１０】
本発明の情報記録媒体によれば、（ｉ）第１記録層（Ｌ０層）に有される第１記録トラック、及び（ｉｉ）第２記録層（Ｌ１層）に有される第２記録トラックのうち少なくとも一方において、ウォブリングされた一のエンボスピット列が予め形成されている。よって、この一のエンボスピット列が形成された第１記録層、又は第２記録層の光透過率を変化させることが可能である。加えて、この一のエンボスピット列が形成された第１記録層、又は第２記録層に、例えば書換型の光ディスク等の記録型の情報記録媒体と概ね同じ物理的な特性を保持させることが可能である。従って、仮に、複数の記録層を有するハイブリッド型の光ディスク等の多層型の情報記録媒体が、例えば再生専用の記録層を少なくとも一つ備える場合でも、例えば記録型の情報記録媒体に対応した従来の情報再生装置によって、当該情報記録媒体を認識させ、当該再生専用の記録層の情報を再生することが可能である。更に、多層ハイブリッド型の情報記録媒体に必要とされる２種類以上の異なる波長のレーザ光を選択的に透過させる波長選択膜等の特別な中間層を必要としないために、低コストで、当該多層ハイブリッド型の情報記録媒体を製造することが可能である。【００１１】
以上の結果、例えば再生専用の記録層を少なくとも一つ含む複数の記録層を有する多層ハイブリッド型の情報記録媒体における再生時の互換性をより確実且つ簡便に維持させることが可能となる。【００１２】
本発明の情報記録媒体の一の態様では、前記第１記録層（Ｌ０層）は、第１波長の第１レーザ光（青）によって、前記第１情報を記録可能であり、前記第２記録層（Ｌ１層）は、前記第１記録層を透過すると共に、前記第１波長より長い第２波長（赤）の第２レーザ光（赤）によって、前記第２情報を記録可能であり、少なくとも前記第２記録トラックにおいて、前記一のエンボスピット列が予め形成されている。【００１３】
この態様によれば、例えば、ＣＤ−ＲＯＭ等の第２記録層（Ｌ１層）においては、ウォブリングされた（揺動した）エンボスピット列が形成されているので、第２記録層の光反射率を低下させることが可能である。従って、例えば記録型の情報記録媒体に対応した従来の情報再生装置を含む、概ね全ての種類の情報再生装置によって、当該第２記録層に記録された情報を再生することが可能である。【００１４】
以上の結果、例えば再生専用の記録層を少なくとも一つ含む複数の記録層を有する多層ハイブリッド型の情報記録媒体において、レーザ光が照射される奥側の記録層に対する再生時の互換性をより確実且つ簡便に維持させることが可能となる。【００１５】
上述した第１波長及び第２波長の態様では、前記第１波長は、略青色から略青紫色の光の波長であり、前記第２波長は、略赤色の光の波長であるように構成してもよい。【００１６】
このように構成すれば、第２記録層として、ＣＤ−ＲＯＭやＤＶＤ−ＲＯＭ等の記録層を適用できる。他方、第１記録層として、ＢＤ−ＲＯＭ／Ｒ／ＲＷや、ＨＤ−ＤＶＤ等の記録層を適用できる。【００１７】
本発明の情報記録媒体の他の態様では、前記第２記録層（Ｌ１層）は、前記第１記録層を透過したレーザ光によって、前記第２情報を記録可能であり、少なくとも前記第１記録トラックにおいて、前記一のエンボスピット列が予め形成されている。【００１８】
この態様によれば、例えば再生専用の記録層を少なくとも一つ含む複数の記録層を有する多層ハイブリッド型の情報記録媒体において、レーザ光が照射される手前側、即ち、最初に焦点が合わされる記録層に対する再生時の互換性をより確実且つ簡便に維持させることが可能となる。【００１９】
本発明の情報記録媒体の他の態様では、前記第１記録層は、レーザ光によって、前記第１情報を記録可能であり、前記第２記録層（Ｌ１層）は、前記一のエンボスピット列が予め形成されている。【００２０】
この態様によれば、例えば再生専用の記録層を少なくとも一つ含む複数の記録層を有する多層ハイブリッド型の情報記録媒体において、レーザ光が照射される奥側の記録層に、最初に焦点が合わされる場合、当該記録層に対する再生時の互換性をより確実且つ簡便に維持させることが可能となる。【００２１】
上述した第２記録層の態様では、前記第２記録層（Ｌ１層）は、追記型又は書換型の記録層であるように構成してもよい。【００２２】
このように構成すれば、例えば再生専用型の記録層と、追記型又は書換型等の記録型の記録層とによって構成される、より多彩な、多層ハイブリッド型の情報記録媒体を実現することが可能である。【００２３】
上述した第２記録トラックの態様では、前記第２記録トラックにおいて、ウォブリングしない他のエンボスピット列が予め形成されているように構成してもよい。【００２４】
このように構成すれば、例えば再生専用型の記録層によって構成される、より多彩な、多層ハイブリッド型の情報記録媒体を実現することが可能である。【００２５】
本発明の情報記録媒体の他の態様では、前記第１記録層、及び前記第２記録層のうち少なくとも一方は、前記一のエンボスピット列が予め形成されているか否かを示す識別情報（フラグ）を記録可能な識別情報記録エリアを有する。【００２６】
この態様によれば、例えばＤＶＤプレーヤー等の情報再生装置は、再生対象となる情報記録媒体における、再生時の互換性を迅速且つ的確に識別して、当該情報記録媒体を適切に再生することが可能となる。【００２７】
（情報再生装置）
以下、本発明の情報再生装置について説明する。【００２８】
上記課題を解決するために、本発明の情報再生装置は、第１情報が記録される又は記録された第１記録トラックを有する第１記録層（Ｌ０層）と、第２情報が記録される又は記録された第２記録トラックを有する第２記録層（Ｌ１層）とを少なくとも備え、前記第１記録トラック、及び前記第２記録トラックのうち少なくとも一方において、ウォブリングされたエンボスピット列が予め形成されている情報記録媒体に対して、前記第１記録層（Ｌ０層）を透過したレーザ光によって、少なくとも前記第２記録層（Ｌ１層）を再生する情報再生装置であって、前記第１情報、及び前記第２情報を再生する再生手段と、前記第１記録層における第１光反射率、及び前記第２記録層における第２光反射率が規定の範囲内にあるか否かを判定する第１判定手段（光反射率判定手段）と、前記第１記録トラック、及び前記第２記録トラックがウォブリングしているか否かを判定する第２判定手段（揺動判定手段）と、前記第１判定手段、及び前記第２判定手段による判定に基づいて、前記第１記録層、及び前記第２記録層のうち少なくとも一方を再生するように、前記再生手段を制御する制御手段とを備える。【００２９】
本発明の情報再生装置によれば、先ず、第１判定手段（光反射率判定手段）によって、第１記録層における第１光反射率、及び前記第２記録層における第２光反射率が規定の範囲内にあるか否かが判定される。と同時に又は相前後して、第２判定手段（揺動判定手段）によって、第１記録トラック、及び第２記録トラックが揺動しているか否かが判定される。【００３０】
次に、制御手段の制御下で、再生手段によって、第１判定手段、及び第２判定手段による判定に基づいて、第１記録層、及び第２記録層のうち少なくとも一方が再生される。【００３１】
以上の結果、例えば再生専用の記録層を少なくとも一つ含む複数の記録層を有する多層ハイブリッド型の情報記録媒体をより確実且つ簡便に再生することが可能となる。【００３２】
（情報再生方法）
以下、本発明の情報再生方法について説明する。【００３３】
上記課題を解決するために、本発明の情報再生方法は、第１情報が記録される又は記録された第１記録トラックを有する第１記録層（Ｌ０層）と、第２情報が記録される又は記録された第２記録トラックを有する第２記録層（Ｌ１層）とを少なくとも備え、前記第１記録トラック、及び前記第２記録トラックのうち少なくとも一方において、ウォブリングされたエンボスピット列が予め形成されている情報記録媒体に対して、前記第１記録層（Ｌ０層）を透過したレーザ光によって、少なくとも前記第２記録層（Ｌ１層）を再生する再生手段を備えた情報再生装置における情報再生方法であって、前記第１記録層における第１光反射率、及び前記第２記録層における第２光反射率が規定の範囲内にあるか否かを判定する第１判定工程（光反射率判定工程）と、前記第１記録トラック、及び前記第２記録トラックがウォブリングしているか否かを判定する第２判定工程（揺動判定工程）と、前記第１判定工程、及び前記第２判定工程による判定に基づいて、前記第１記録層、及び前記第２記録層のうち少なくとも一方を再生するように、前記再生手段を制御する制御工程とを備える。【００３４】
本発明の情報再生方法によれば、上述した本発明の情報再生装置が有する各種利益を享受することが可能となる。【００３５】
尚、上述した本発明の情報再生装置が有する各種態様に対応して、本発明の情報再生方法も各種態様を採ることが可能である。【００３６】
（コンピュータプログラム）
以下、本発明のコンピュータプログラムについて説明する。【００３７】
上記課題を解決するために、本発明の再生制御用のコンピュータプログラムは、上述した本発明の情報再生装置（但し、その各種態様を含む）に備えられたコンピュータを制御する再生制御用のコンピュータプログラムであって、該コンピュータを、前記再生手段、前記第１判定手段、前記第２判定手段、及び前記制御手段のうち少なくとも一部として機能させる。【００３８】
本発明に係るコンピュータプログラムによれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置を比較的簡単に実現できる。【００３９】
尚、上述した本発明の情報再生装置における各種態様に対応して、本発明のコンピュータプログラムも各種態様を採ることが可能である。【００４０】
上記課題を解決するために、コンピュータ読取可能な媒体内のコンピュータプログラム製品は、上述した本発明の情報再生装置（但し、その各種態様を含む）に備えられたコンピュータにより実行可能なプログラム命令を明白に具現化し、該コンピュータを、前記再生手段、前記第１判定手段、前記第２判定手段、及び前記制御手段のうち少なくとも一部として機能させる。【００４１】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置を比較的容易に実施可能となる。更に具体的には、当該コンピュータプログラム製品は、上述した本発明の情報再生装置として機能させるコンピュータ読取可能なコード（或いはコンピュータ読取可能な命令）から構成されてよい。【００４２】
本発明のこのような作用及び他の利得は次に説明する実施例から明らかにされる。【００４３】
以上説明したように、本発明の情報記録媒体によれば、第１記録トラックを有する第１記録層と、第２記録トラックを有する第２記録層とを少なくとも備え、第１記録トラック、及び前記第２記録トラックのうち少なくとも一方において、揺動したエンボスピット列が予め形成されている。この結果、例えば再生専用の記録層を少なくとも一つ含む複数の記録層を有する多層ハイブリッド型の情報記録媒体における再生時の互換性をより確実且つ簡便に維持させることが可能となる。【００４４】
本発明の情報再生装置及び方法によれば、再生手段、第１判定手段及び工程、第２判定手段及び工程、並びに、制御手段及び工程を備える。この結果、例えば再生専用の記録層を少なくとも一つ含む複数の記録層を有する多層ハイブリッド型の情報記録媒体をより確実且つ簡便に再生することが可能となる。【００４５】
また、本発明のコンピュータプログラムによれば、コンピュータを上述した本発明の情報再生装置として機能させるので、情報再生装置をして、例えば再生専用の記録層を少なくとも一つ含む複数の記録層を有する多層ハイブリッド型の情報記録媒体に対して、より確実且つ簡便に再生させることが可能となる。
【図面の簡単な説明】
【００４６】
【図１】本発明の情報記録媒体の第１実施例に係る光ディスク１００の基本構成を示した概略平面図（図１（ａ））、及び、切断面「Ｘ」における該光ディスクの概略断面図（図１（ｂ））である。
【図２】図１（ｂ）に対応した、２つの異なる波長のレーザ光によって夫々再生可能な記録層を少なくとも２つ備えたハイブリッド型光ディスク等の情報記録媒体の概略断面図である。
【図３】本発明の情報記録媒体に係る、揺動したエンボスピット列を図式的に示した拡大図である。
【図４】本発明の情報記録媒体に係る、少なくとも第２記録層のエンボスピット列を揺動させることで、当該第２記録層の光反射率を変化させ、情報記録再生装置が受光する受光量を変化させる原理を概念的に示した模式図である。
【図５】本発明の情報記録媒体に係る、第１記録層、及び第２記録層の光反射率を規定する基準の一具体例である記録済みの記録領域、又は、他の具体例である未記録状態の記録領域を図式的に示した模式図である。
【図６】本発明の情報再生装置の実施例に係る情報記録再生装置、及び、ホストコンピュータの基本構成を示したブロック図である。
【図７】本発明の情報記録媒体に対する、情報再生装置による再生動作の一具体例を示したフローチャートである。
【図８】本発明の情報記録媒体及び情報再生装置の実施例に係る、情報再生装置と、再生可能な記録層との対応関係を示したテーブル（図８（ａ））、及び比較例に係る情報再生装置と、再生可能な記録層との対応関係を示したテーブル（図８（ｂ））である。
【図９】本発明の情報記録媒体に係る第２実施例において、１種類の波長のレーザ光によって夫々再生や記録が可能な記録層を少なくとも２つ備えたハイブリッド型光ディスク等の情報記録媒体の概略断面図である。
【図１０】本発明の情報記録媒体の第２実施例に係る、少なくとも第１記録層のエンボスピット列を揺動させることで、当該第１記録層の光反射率を変化させ、情報記録再生装置が受光する受光量を変化させる原理を概念的に示した模式図である。
【図１１】本発明の情報記録媒体の第２実施例に係る、情報再生装置と、再生可能な記録層との対応を示したテーブル（図１１（ａ））、及び比較例に係る情報再生装置と、再生可能な記録層との対応を示したテーブル（図１１（ｂ））である。
【図１２】本発明の情報記録媒体に係る第３実施例において、図１（ｂ）に対応した、１種類の波長のレーザ光によって夫々再生や記録が可能な記録層を少なくとも２つ備えたハイブリッド型光ディスク等の情報記録媒体の概略断面図である。
【図１３】本発明の情報記録媒体の第３実施例に係る、情報再生装置と、再生可能な記録層との対応を示したテーブル（図１３（ａ））、及び比較例に係る情報再生装置と、再生可能な記録層との対応を示したテーブル（図１３（ｂ））である。
【図１４】本発明の情報記録媒体の第４実施例に係る、揺動したエンボスピット列が予め形成されているか否かを示す識別情報（フラグ）等を含む管理情報を示したテーブルである。
【符号の説明】
【００４７】
１００…光ディスク、３００…情報記録再生装置、３０１…光ピックアップ、３０２…信号記録再生手段、３０５…ＣＰＵ（ドライブ制御手段）、３０６…スピンドルモータ、３０７（４０２）…メモリ、３０８（４０６）…データ入出力制御手段、３０９（４０７）…バス、４００…ホストコンピュータ、４０１…ＣＰＵ（ホスト用）、４０３…操作制御手段、４０４…操作ボタン、４０５…表示パネル、ＬＢ１（ＬＢ２）…レーザ光
【発明を実施するための最良の形態】
【００４８】
以下、本発明を実施するための最良の形態について実施例毎に順に図面に基づいて説明する。【００４９】
（１）本発明の情報記録媒体
以下、図１から図５を参照して本発明の情報記録媒体に係る第１実施例について説明を進める。【００５０】
（１−１）基本構成
先ず、図１を参照して、本発明の情報記録媒体の第１実施例に係る光ディスクの基本構成の概略について説明する。ここに、図１は、本発明の情報記録媒体の第１実施例に係る光ディスク１００の基本構成を示した概略平面図（図１（ａ））、及び、切断面「Ｘ」における該光ディスクの概略断面図（図１（ｂ））である。【００５１】
図１（ａ）及び図１（ｂ）に示されるように、光ディスク１００は、例えば、ＤＶＤと同じく直径１２ｃｍ程度のディスク本体上の記録面に、センターホール１を中心として、例えばデータエリア等の記録領域が設けられている。但し、この形状や大きさはこれに限定されるものではなく、様々な大きさ及び様々な形状を採用しても良いことは言うまでもない。また、光ディスク１００の例えば、透明基板１０６に、本発明の第１記録層に係るＬ０層、並びに、本発明の第２記録層に係るＬ１層等の記録層が積層されている。更に、この記録層の各記録領域には、例えば、センターホール１を中心にスパイラル状或いは同心円状に、例えば、グルーブトラック及びランドトラック等のトラック１０が交互に設けられている。更に、また、このトラック１０上には、データがＥＣＣブロック１１という単位で分割されて記録される。ＥＣＣブロック１１は、記録情報がエラー訂正可能なデータ管理単位である。【００５２】
第１実施例に係る光ディスク１００は、図１（ｂ）に示されるように、例えば２層型等の記録層が複数積層された多層型の情報記録媒体である。具体的には、例えば２種類のレーザ光ＬＢ１及びＬＢ２が照射される側（図１（ｂ）中の下側）から見て、ポリカーボネート層１０４、例えばＢＤ（Blu-ray Disc）やＨＤ−ＤＶＤ（High Definition−ＤＶＤ）等の第１記録層１０１、中間層１０３、例えばＣＤやＤＶＤ等の第２記録層１０２、及びポリカーボネート層１０５を備えて構成されている。そして、多層型の光ディスク１００の記録や再生時には、図１（ｂ）中、下側から上側に向かって照射されるレーザ光の集光位置（合焦点位置）をいずれの記録層に合わせるかに応じて、Ｌ０層、又はＬ１層における記録や再生が行なわれる。【００５３】
より具体的には、第１記録層１０１は、再生パワーを保持するレーザ光ＬＢ１を所定の光反射率で反射することによって、記録マークを再生可能な記録層である。ここに、第１実施例に係るレーザ光ＬＢ１は、例えば波長が４０５ｎｍであるブルーレイ（Blue-ray）等の相対的に短い波長のレーザ光である。尚、第１記録層１０１の具体例としては、再生専用型のＢＤ−ＲＯＭでもよいし、追記型のＢＤ−Ｒでもよいし、書換型のＢＤ−ＲＷでもよい。また、第２記録層１０２は、再生パワーを保持するレーザ光ＬＢ２を所定の光反射率で反射することによって、記録マークを再生可能な記録層である。尚、第２記録層１０２においては、レーザ光ＬＢ２を反射可能な全反射膜が積層されるように構成してもよい。ここに、第１実施例に係るレーザ光ＬＢ２は、例えば波長が６５０ｎｍである赤色レーザ光や、赤外光等の相対的に長い波長のレーザ光である。また、中間層１０３は、例えば５５μｍを中心とした所定の厚みを保持している。また、ポリカーボネート層１０４、及び１０５は、例えば０．６ｍｍの厚さを夫々有すように構成してもよい。【００５４】
また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００５５】
（１−２）詳細構成
次に、図２から図５を参照して、本発明の情報記録媒体の実施例に係る光ディスクの詳細構成について説明する。ここに、図２は、図１（ｂ）に対応した、２つの異なる波長のレーザ光によって夫々再生可能な記録層を少なくとも２つ備えたハイブリッド型光ディスク等の情報記録媒体の概略断面図である。図３は、本発明の情報記録媒体に係る、揺動したエンボスピット列を図式的に示した拡大図である。図４は、本発明の情報記録媒体に係る、少なくとも第２記録層のエンボスピット列を揺動させることで、当該第２記録層の光反射率を変化させ、情報記録再生装置が受光する受光量を変化させる原理を概念的に示した模式図である。図５は、本発明の情報記録媒体に係る、第１記録層、及び第２記録層の光反射率を規定する基準の一具体例である記録済みの記録領域、又は、他の具体例である未記録状態の記録領域を図式的に示した模式図である。【００５６】
図２に示されるように、例えばレーザ光ＬＢ１が第１記録層（例えばＢＤ−ＲＯＭ）に照射されることによって、当該レーザ光ＬＢ１に対応したピットの形成によって記録された、例えばＤＶＤビデオコンテンツ等の第１情報を再生可能である。他方、第２記録層（例えばＣＤ−ＲＯＭやＤＶＤ−ＲＯＭ等）においては、例えば、第１記録層及び中間層を透過したレーザ光ＬＢ２が照射されることによって、当該レーザ光ＬＢ２に対応したピットの形成によって記録された、例えばＤＶＤビデオコンテンツ等の第２情報を再生可能である。【００５７】
特に、図３に示されるように、本発明の第１実施例においては、第２記録層は、例えばＣＤ−ＲＯＭであり、このＣＤ−ＲＯＭのエンボスピット列は、揺動して形成されている。従って、第２記録層の光反射率を変化させ、情報記録再生装置が受光する受光量を変化させることが可能である。【００５８】
詳細には、図４において示されるように、（ｉ）揺動したエンボスピット列が形成された第２記録層で反射され、情報記録再生装置によって受光される受光量を、（ｉｉ）第１記録層で反射され、情報記録再生装置によって受光される受光量より大きくさせたり、小さくさせたりすることが可能である。【００５９】
具体的には、図４の左側部において示されるように、例えば「１．０」の光量を保持するレーザ光が照射される際、光反射率が例えば３３パーセントの第１記録層を透過したレーザ光は約「０．６７」（＝１．０×０．６７）の光量を保持する。そして、光反射率が例えば１００パーセントの第２記録層を反射したレーザ光は約「０．６７」の光量を保持したまま、第１記録層を再度、透過する。従って、情報記録再生装置は、約「０．４５」（＝０．６７×０．６７）の光量を保持するレーザ光を受光することが可能である。また、光反射率が例えば３３パーセントの第１記録層を反射したレーザ光は約「０．３３」（＝１．０×０．３３）の光量を保持する。この結果、（ｉ）第２記録層で反射され、情報記録再生装置によって受光される受光量を、（ｉｉ）第１記録層で反射され、情報記録再生装置によって受光される受光量より大きくさせることが可能である。【００６０】
他方、図４の右側部において示されるように、例えば第２記録層のエンボスピット列を揺動させた場合、例えば「１．０」の光量を保持するレーザ光が照射される際、前述した光反射率が３３パーセントの第１記録層を透過したレーザ光は約「０．６７」（＝１．０×０．６７）の光量を保持する。そして、エンボスピット列を揺動され、光反射率が例えば６０パーセントの第２記録層を反射したレーザ光は約「０．４０」の光量を保持したまま、第１記録層を再度、透過する。従って、情報記録再生装置は、約「０．２７」（＝０．４０×０．６７）の光量を保持するレーザ光を受光することが可能である。また、前述したように、光反射率が例えば３３パーセントの第１記録層を反射したレーザ光は約「０．３３」（＝１．０×０．３３）の光量を保持する。この結果、（ｉ）第２記録層で反射され、情報記録再生装置によって受光される受光量を、（ｉｉ）第１記録層で反射され、情報記録再生装置によって受光される受光量より小さくさせることが可能である。【００６１】
尚、本実施例に係る光反射率や光透過率は、図５の左側部に示されるように、記録済みの記録領域における光反射率や光透過率を基準として規定してもよい。或いは、図５の右側部に示されるように、未記録状態の記録領域における光反射率や光透過率を基準として規定してもよい。具体的には、例えば記録済みの記録領域における光反射率や光透過率を基準とした場合、図５の左側部に示されるように、第２記録層におけるピット長が、例えば１（μｍ）であり、層間距離が５５（μｍ）であれば、３０から４０（μｍ）、即ち、第２記録層におけるピット長の３０倍から４０倍の長さの直径によって決定される円の面積に相当する記録済みの記録領域の影響を考慮するようにしてもよい。【００６２】
（２）情報再生装置
次に、図６及び図７を参照して、本発明の情報再生装置の実施例について詳細に説明する。特に、本実施例は、本発明に係る情報再生装置を光ディスク用の情報記録再生装置に適用した例である。【００６３】
（２−１）基本構成
先ず、図６を参照して、本発明の情報再生装置に係る実施例における情報記録再生装置３００及び、ホストコンピュータ４００の基本構成について説明する。ここに、図６は、本発明の情報再生装置の実施例に係る情報記録再生装置、及び、ホストコンピュータの基本構成を示したブロック図である。尚、情報記録再生装置３００は、光ディスク１００に記録データを記録する機能と、光ディスク１００に記録された記録データを再生する機能とを備える。【００６４】
図６を参照して情報記録再生装置３００の内部構成を説明する。情報記録再生装置３００は、ドライブ用のＣＰＵ（Central Processing Unit）３０５の制御下で、光ディスク１００に情報を記録すると共に、光ディスク１００に記録された情報を読み取る装置である。【００６５】
情報記録再生装置３００は、光ディスク１００、光ピックアップ３０１、信号記録再生手段３０２、アドレス検出部３０３、アドレス演算部３０４、ＣＰＵ（ドライブ制御手段）３０５、スピンドルモータ３０６、メモリ３０７、データ入出力制御手段３０８、及びバス３０９を備えて構成されている。【００６６】
また、ホストコンピュータ４００は、ＣＰＵ（ホスト制御手段）４０１、メモリ４０２、操作制御手段４０３、操作ボタン４０４、表示パネル４０５、データ入出力制御手段４０６、及びバス４０７を備えて構成される。【００６７】
特に、情報記録再生装置３００は、例えばモデム等の通信手段を備えたホストコンピュータ４００を同一筐体内に収めることにより、外部ネットワークと通信可能となるように構成してもよい。或いは、例えばｉ−ｌｉｎｋ等の通信手段を備えたホストコンピュータ４００のＣＰＵ（ホスト制御手段）４０５が、データ入出力制御手段３０８、及びバス３０９を介して、直接的に、情報記録再生装置３００を制御することによって、外部ネットワークと通信可能となるように構成してもよい。【００６８】
光ピックアップ３０１は光ディスク１００への記録や再生を行うもので、半導体レーザ装置とレンズから構成される。より詳細には、光ピックアップ３０１は、光ディスク１００に対してブルーレイ（Blue-ray）、赤色レーザ光、又は、赤外光等の光ビームを、再生時には読み取り光として再生レベルのレーザパワーで照射し、記録時には書き込み光として記録レベルのレーザパワーで且つ変調させながら照射する。【００６９】
信号記録再生手段３０２は、光ピックアップ３０１とスピンドルモータ３０６とを制御することで光ディスク１００に対して記録や再生を行う。より具体的には、信号記録再生手段３０２は、例えば、レーザダイオードドライバ（ＬＤドライバ）及びヘッドアンプ等によって構成されている。レーザダイオードドライバは、光ピックアップ３０１内に設けられた図示しない半導体レーザを駆動する。ヘッドアンプは、光ピックアップ３０１の出力信号、即ち、光ビームの反射光を増幅し、該増幅した信号を出力する。より詳細には、信号記録再生手段３０２は、例えばＯＰＣ（Optimum Power Control）処理時には、ＣＰＵ３０５の制御下で、図示しないタイミング生成器等と共に、ＯＰＣパターンの記録及び再生処理により最適なレーザパワーの決定が行えるように、光ピックアップ３０１内に設けられた図示しない半導体レーザを駆動する。特に、信号記録再生手段３０２は、光ピックアップ３０１と共に、本発明に係る「再生手段」の一例を構成する。【００７０】
ＣＰＵ（ドライブ制御手段）３０５は、バス３０９を介して、各種手段に指示を行うことで、情報記録再生装置３００全体の制御を行う。また、ＣＰＵ３０５が動作するためのソフトウェア又はファームウェアは、メモリ３０７に格納されている。尚、ＣＰＵ（ドライブ制御手段）３０５は、後述されるＣＰＵ（ホスト制御手段）４０１と共に、本発明に係る「制御手段」、「第１判定手段」、「第２判定手段」の一例を構成する。【００７１】
スピンドルモータ３０６は光ディスク１００を回転及び停止させるもので、光ディスクへのアクセス時に動作する。より詳細には、スピンドルモータ３０６は、図示しないサーボユニット等によりスピンドルサーボを受けつつ所定速度で光ディスク１００を回転及び停止させるように構成されている。【００７２】
メモリ３０７は、記録データや再生データのバッファ領域や、信号記録再生手段３０２で使用出来るデータに変換する時の中間バッファとして使用される領域など情報記録再生装置３００におけるデータ処理全般及びＯＰＣ処理において使用される。また、メモリ３０７はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００７３】
データ入出力制御手段３０８は、情報記録再生装置３００に対する外部からのデータ入出力を制御し、メモリ３０７上のデータバッファへの格納及び取り出しを行う。情報記録再生装置３００と、ＳＣＳＩやＡＴＡＰＩ等のインターフェースを介して接続されている外部のホストコンピュータ４００（以下、適宜ホストと称す）から発行されるドライブ制御命令は、当該データ入出力制御手段３０８を介してＣＰＵ３０５に伝達される。また、記録データや再生データも同様にして、当該データ入出力制御手段３０８を介して、ホストコンピュータ４００に対して送受信される。【００７４】
ホストコンピュータ４００における、ＣＰＵ（ホスト制御手段）４０１、メモリ４０２、データ入出力制御手段４０６、及びバス４０７は、これらに対応される、情報記録再生装置３００内の構成要素と、概ね同様である。【００７５】
特に、操作制御手段４０３は、ホストコンピュータ４００に対する動作指示受付と表示を行うもので、例えば記録又は再生といった操作ボタン４０４による指示をＣＰＵ４０１に伝える。ＣＰＵ４０１は、操作制御手段４０３からの指示情報を元に、データ入出力手段４０６を介して、情報記録再生装置３００に対して制御命令（コマンド）を送信し、情報記録再生装置３００全体を制御するように構成してもよい。同様に、ＣＰＵ４０１は、情報記録再生装置３００に対して、動作状態をホストに送信するように要求するコマンドを送信することができる。これにより、記録中や再生中といった情報記録再生装置３００の動作状態が把握できるためＣＰＵ４０１は、操作制御手段４０３を介して蛍光管やＬＣＤなどの表示パネル４０５に情報記録再生装置３００の動作状態を出力することができる。【００７６】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ４０２に格納されたプログラムをＣＰＵ４０１で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０８（４０６）を介して接続されており、ホストコンピュータにインストールされているライティングソフトウェア等のアプリケーションが、ディスクドライブを制御する。【００７７】
（２−２）再生動作
次に、図７を参照して、本発明の情報記録媒体に対する、情報再生装置による再生動作、即ち、本発明の情報記録媒体の再生方法について説明する。ここに、図７は、本発明の情報記録媒体に対する、情報再生装置による再生動作の一具体例を示したフローチャートである。【００７８】
図７に示されるように、光ディスク１００が装着されると、ＣＰＵ３０５等の制御手段の制御下で、光ピックアップ３０１や信号記録再生手段３０２等の読出手段によって、初期動作として、例えばコントロールデータゾーン等の管理情報記録領域に記録された、各種に管理情報が取得される（ステップＳ１０１）。【００７９】
次に、ＣＰＵ３０５等の制御手段の制御下で、取得された管理情報に基づいて、２層型の光ディスク１００であるか否かが判定される（ステップＳ１０２）。ここで、２層型の光ディスク１００であると判定された場合（ステップＳ１０２：Ｙｅｓ）、更に、ＣＰＵ３０５の制御下で、第１記録層（Ｌ０層）及び第２記録層（Ｌ１層）における光反射率は両方とも適正であり、識別可能な光ディスク１００であるか否かが判定される（ステップＳ１０３）。ここで、第１記録層（Ｌ０層）及び第２記録層（Ｌ１層）における光反射率のうちいずれか一方は適正でないと判定された場合（ステップＳ１０３：Ｎｏ）、更に、ＣＰＵ３０５の制御下で、第１記録層（Ｌ０層）における光反射率は適正であるか否かが判定される（ステップＳ１０４）。ここで、第１記録層（Ｌ０層）における光反射率は適正でないと判定された場合（ステップＳ１０４：Ｎｏ）、更に、ＣＰＵ３０５の制御下で、第２記録層（Ｌ１層）の記録トラックは揺動しているか否かが判定される（ステップＳ１０５）。ここで、第２記録層（Ｌ１層）の記録トラックは揺動していると判定された場合（ステップＳ１０５：Ｙｅｓ）、ＣＰＵ３０５の制御下で、第２記録層（Ｌ１層）は、例えばＣＤ−ＲＷやＣＤ−Ｒ等の低反射型の光ディスクであると識別されて、光ピックアップ３０１や信号記録再生手段３０２等の記録再生手段によって、低反射型の光ディスクに対応したレーザ光が照射されて、当該第２記録層（Ｌ１層）は再生される（ステップＳ１０６）。【００８０】
続いて、ＣＰＵ３０５の制御下で、当該光ディスク１００を排出するか否かが判定される（ステップＳ１０７）。ここで、光ディスク１００を排出する場合（ステップＳ１０７：Ｙｅｓ）、一連の再生動作は終了される。【００８１】
他方、前述したステップＳ１０５の判定の結果、第２記録層（Ｌ１層）の記録トラックは揺動していないと判定された場合（ステップＳ１０５：Ｎｏ）、前述したように、当該光ディスク１００を排出するか否かが判定される（ステップＳ１０７）。また、他方、前述したステップＳ１０４の判定の結果、第１記録層（Ｌ０層）における光反射率は適正であり、識別可能な光ディスク１００であると判定された場合（ステップＳ１０４：Ｙｅｓ）、光ピックアップ３０１や信号記録再生手段３０２等の記録再生手段によって、当該第１記録層（Ｌ０層）は再生される（ステップＳ１０８）。また、他方、前述したステップＳ１０３の判定の結果、第１記録層（Ｌ０層）及び第２記録層（Ｌ１層）における光反射率は適正であり、識別可能な光ディスク１００である判定された場合（ステップＳ１０３：Ｙｅｓ）、光ピックアップ３０１や信号記録再生手段３０２等の記録再生手段によって、第１記録層（Ｌ０層）及び第２記録層（Ｌ１層）は再生される（ステップＳ１０９）。【００８２】
最後に、他方、光ディスク１００を排出しない場合（ステップＳ１０７：Ｎｏ）、前述したように、ＣＰＵ３０５の制御下で、第１記録層（Ｌ０層）及び第２記録層（Ｌ１層）における光反射率は適正であり、識別可能な光ディスク１００であるか否かが判定されるようにしてもよい（ステップＳ１０３）。【００８３】
（３）本発明の情報記録媒体及び情報再生装置に係る作用効果の検討
次に、図８を参照して本発明の情報記録媒体及び情報再生装置に係る実施例の作用効果について検討する。ここに、図８は、本発明の情報記録媒体及び情報再生装置の実施例に係る、情報再生装置と、再生可能な記録層との対応関係を示したテーブル（図８（ａ））、及び比較例に係る情報再生装置と、再生可能な記録層との対応関係を示したテーブル（図８（ｂ））である。【００８４】
図８（ａ）に示されるように、本実施例に係る第２記録層（Ｌ１層）においては、揺動したエンボスピット列が形成されているので、第２記録層の光反射率を低下させることが可能であるので、概ね全ての種類の情報再生装置によって、当該第２記録層に記録された情報を再生することが可能である。具体的には、次の４種類の情報再生装置である。（ｉ）例えば再生専用型の光ディスク（例えばＣＤ−ＲＯＭ）等の、高い光反射率、及び低い光反射率を保持する情報記録媒体に対応した情報再生装置。（ｉｉ）例えば書換型の光ディスク（例えばＣＤ−ＲＷ）等の低い光反射率を保持する情報記録媒体に対応した情報再生装置。（ｉｉｉ）例えば再生専用型の光ディスク（例えばＣＤ−ＲＯＭ）等の、高い光反射率、及び低い光反射率を保持する情報記録媒体に対応すると共に、例えば波長の異なる、ブルーレイや赤色レーザ光等の２種類以上のレーザ光を照射可能な情報再生装置、所謂、マルチレーザ対応の情報再生装置。（ｉｖ）例えば書換型の光ディスク（例えばＣＤ−ＲＷ）等の低い光反射率を保持する情報記録媒体に対応すると共に、例えば波長の異なる、ブルーレイや赤色レーザ光等の２種類以上のレーザ光を照射可能な情報再生装置、所謂、マルチレーザ対応の情報再生装置。尚、第１記録層（Ｌ０層）は、マルチレーザ対応の情報再生装置によって再生可能である。【００８５】
仮に、図８（ｂ）に示されるように、比較例に係る第２記録層（Ｌ１層）におけるように、エンボスピット列は揺動して形成されていない場合、第２記録層の光反射率を低下させることができない。従って、少なくとも書換型の光ディスク（例えばＣＤ−ＲＷ）等の低い光反射率を保持する情報記録媒体に対応した情報再生装置によって、当該第２記録層に記録された情報を再生することができなくなってしまう。【００８６】
これに対して、本実施例に係る第２記録層（Ｌ１層）においては、揺動したエンボスピット列が形成されている。従って、第２記録層の光反射率を低下させることが可能であるので、概ね全ての種類の情報再生装置によって、当該第２記録層に記録された情報を再生することが可能である。【００８７】
この結果、例えば再生専用の記録層を少なくとも一つ含む複数の記録層を有する多層ハイブリッド型の情報記録媒体において、レーザ光が照射される奥側の記録層に対する再生時の互換性をより確実且つ簡便に維持させることが可能となる。【００８８】
（４）本発明の情報記録媒体の第２実施例
次に、本発明の情報記録媒体の第２実施例について説明する。【００８９】
（４−１）第２実施例に係る情報記録媒体の詳細構成
先ず、図９及び図１０を参照して、本発明の情報記録媒体の第２実施例に係る詳細構成について説明する。ここに、図９は、本発明の情報記録媒体に係る第２実施例において、１種類の波長のレーザ光によって夫々再生や記録が可能な記録層を少なくとも２つ備えたハイブリッド型光ディスク等の情報記録媒体の概略断面図である。図１０は、本発明の情報記録媒体の第２実施例に係る、少なくとも第１記録層のエンボスピット列を揺動させることで、当該第１記録層の光反射率を変化させ、情報記録再生装置が受光する受光量を変化させる原理を概念的に示した模式図である。【００９０】
図９に示されるように、例えば波長が６５０ｎｍである赤色レーザ光や、赤外光等の相対的に長い波長のレーザ光であるレーザ光ＬＢ２が第１記録層（例えばＣＤ−ＲＯＭやＤＶＤ−ＲＯＭ等）に照射されることによって、当該レーザ光ＬＢ２に対応したピットの形成によって記録された、例えばＤＶＤビデオコンテンツ等の第１情報を再生可能である。他方、第２記録層（例えばＣＤ−ＲやＤＶＤ−Ｒ等）においては、例えば、第１記録層及び中間層を透過した前述のレーザ光ＬＢ２が照射されることによって、当該レーザ光ＬＢ２に対応したピットの形成によって記録された、例えばＤＶＤビデオコンテンツ等の第２情報を再生可能である。【００９１】
特に、前述した図３と概ね同様にして、本発明の第２実施例においては、第１記録層は、例えばＣＤ−ＲＯＭであり、このＣＤ−ＲＯＭのエンボスピット列は、揺動して形成されている。従って、第１記録層の光反射率を変化させ、情報記録再生装置が受光する受光量を変化させることが可能である。【００９２】
詳細には、図１０において示されるように、（ｉ）揺動したエンボスピット列が形成された第１記録層で反射され、情報記録再生装置によって受光される受光量を、（ｉｉ）第２記録層で反射され、情報記録再生装置によって受光される受光量より大きくさせたり、小さくさせたりすることが可能である。【００９３】
具体的には、図１０の左側部において示されるように、例えば「１．０」の光量を保持するレーザ光が照射される際、光反射率が例えば５０パーセントの第１記録層を透過したレーザ光は約「０．５」（＝１．０×０．５）の光量を保持する。そして、光反射率が例えば１００パーセントの第２記録層を反射したレーザ光は「０．５」の光量を保持したまま、第１記録層を再度、透過する。従って、情報記録再生装置は、「０．２５」（＝０．５×０．５）の光量を保持するレーザ光を受光することが可能である。また、光反射率が例えば５０パーセントの第１記録層を反射したレーザ光は「０．５」（＝１．０×０．５）の光量を保持する。この結果、（ｉ）第２記録層で反射され、情報記録再生装置によって受光される受光量を、（ｉｉ）第１記録層で反射され、情報記録再生装置によって受光される受光量より小さくさせることが可能である。【００９４】
他方、図１０の右側部において示されるように、例えば第１記録層のエンボスピット列を揺動させた場合、例えば「１．０」の光量を保持するレーザ光が照射される際、光反射率が３３パーセントに低下された第１記録層を透過したレーザ光は約「０．６７」（＝１．０×０．６７）の光量を保持する。そして、前述した光反射率が例えば１００パーセントの第２記録層を反射したレーザ光は「０．６７」の光量を保持したまま、第１記録層を再度、透過する。従って、情報記録再生装置は、約「０．４５」（＝０．６７×０．６７）の光量を保持するレーザ光を受光することが可能である。また、前述したように、光反射率が例えば３３パーセントの第１記録層を反射したレーザ光は約「０．３３」（＝１．０×０．３３）の光量を保持する。この結果、（ｉ）第２記録層で反射され、情報記録再生装置によって受光される受光量を、（ｉｉ）第１記録層で反射され、情報記録再生装置によって受光される受光量より大きくさせることが可能である。【００９５】
（４−２）第２実施例に係る情報記録媒体の作用効果の検討
次に、図１１を参照して本発明の情報記録媒体に係る第２実施例の作用効果について検討する。ここに、図１１は、本発明の情報記録媒体の第２実施例に係る、情報再生装置と、再生可能な記録層との対応を示したテーブル（図１１（ａ））、及び比較例に係る情報再生装置と、再生可能な記録層との対応を示したテーブル（図１１（ｂ））である。【００９６】
図１１（ａ）に示されるように、第２実施例に係る第１記録層（Ｌ０層）においては、揺動したエンボスピット列が形成されているので、第１記録層の光反射率を低下させることが可能であるので、前述した概ね全ての種類の情報再生装置（第１実施例を参照）によって、当該第１記録層に記録された情報を再生することが可能である。【００９７】
仮に、図１１（ｂ）に示されるように、比較例に係る第１記録層（Ｌ０層）におけるように、エンボスピット列は揺動して形成されていない場合、第１記録層の光反射率を低下させることができない。従って、少なくとも書換型の光ディスク（例えばＣＤ−ＲＷ）等の低い光反射率を保持する情報記録媒体に対応した情報再生装置によって、当該第１記録層に記録された情報を再生することができなくなってしまう。【００９８】
これに対して、第２実施例に係る第１記録層（Ｌ０層）においては、揺動したエンボスピット列が形成されているので、第１記録層の光反射率を低下させることが可能であるので、前述した概ね全ての種類の情報再生装置（第１実施例を参照）によって、当該第１記録層に記録された情報を再生することが可能である。【００９９】
この結果、例えば再生専用の記録層を少なくとも一つ含む複数の記録層を有する多層ハイブリッド型の情報記録媒体において、レーザ光が照射される手前側、即ち、最初に焦点が合わされる記録層に対する再生時の互換性をより確実且つ簡便に維持させることが可能となる。【０１００】
（５）本発明の情報記録媒体の第３実施例
次に、本発明の情報記録媒体の第３実施例について説明する。【０１０１】
（５−１）第３実施例に係る情報記録媒体の詳細構成
先ず、図１２を参照して、本発明の情報記録媒体の第３実施例に係る詳細構成について説明する。ここに、図１２は、本発明の情報記録媒体に係る第３実施例において、図１（ｂ）に対応した、１種類の波長のレーザ光によって夫々再生や記録が可能な記録層を少なくとも２つ備えたハイブリッド型光ディスク等の情報記録媒体の概略断面図である。【０１０２】
図１２に示されるように、例えば波長が６５０ｎｍである赤色レーザ光や、赤外光等の相対的に長い波長のレーザ光であるレーザ光ＬＢ２が第１記録層（例えばＣＤ−ＲＯＭやＤＶＤ−ＲＯＭ等）に照射されることによって、当該レーザ光ＬＢ２に対応したピットの形成によって記録された、例えばＤＶＤビデオコンテンツ等の第１情報を再生可能である。他方、第２記録層（例えばＣＤ−ＲＯＭやＤＶＤ−ＲＯＭ等）においては、例えば、第１記録層及び中間層を透過した前述のレーザ光ＬＢ２が照射されることによって、当該レーザ光ＬＢ２に対応したピットの形成によって記録された、例えばＤＶＤビデオコンテンツ等の第２情報を再生可能である。【０１０３】
特に、前述した第２実施例と概ね同様にして、本発明の第３実施例においては、第１記録層は、例えばＣＤ−ＲＯＭであり、このＣＤ−ＲＯＭのエンボスピット列は、揺動して形成されている。従って、第１記録層の光反射率を変化させ、情報記録再生装置が受光する受光量を変化させることが可能である。尚、この受光量の変化の原理は、前述した第２実施例と概ね同様であるので、説明は省略する。【０１０４】
（５−２）第３実施例に係る情報記録媒体の作用効果の検討
次に、図１３を参照して本発明の情報記録媒体に係る第３実施例の作用効果について検討する。ここに、図１３は、本発明の情報記録媒体の第３実施例に係る、情報再生装置と、再生可能な記録層との対応を示したテーブル（図１３（ａ））、及び比較例に係る情報再生装置と、再生可能な記録層との対応を示したテーブル（図１３（ｂ））である。【０１０５】
図１３（ａ）に示されるように、第３実施例に係る第１記録層（Ｌ０層）においては、揺動したエンボスピット列が形成されているので、第１記録層の光反射率を低下させることが可能であるので、前述した概ね全ての種類の情報再生装置（第１実施例を参照）によって、当該第１記録層に記録された情報を再生することが可能である。【０１０６】
仮に、図１３（ｂ）に示されるように、比較例に係る第１記録層（Ｌ０層）におけるように、エンボスピット列は揺動して形成されていない場合、第１記録層の光反射率を低下させることができない。従って、少なくとも書換型の光ディスク（例えばＣＤ−ＲＷ）等の低い光反射率を保持する情報記録媒体に対応した情報再生装置によって、当該第１記録層に記録された情報を再生することができなくなってしまう。【０１０７】
これに対して、第３実施例に係る第１記録層（Ｌ０層）においては、揺動したエンボスピット列が形成されているので、第１記録層の光反射率を低下させることが可能であるので、前述した概ね全ての種類の情報再生装置（第１実施例を参照）によって、少なくとも当該第１記録層に記録された情報を、再生することが可能である。【０１０８】
この結果、例えば再生専用の記録層を少なくとも一つ含む複数の記録層を有する多層ハイブリッド型の情報記録媒体において、レーザ光が照射される手前側、即ち、最初に焦点が合わされる記録層に対する再生時の互換性をより確実且つ簡便に維持させることが可能となる。【０１０９】
（６）本発明の情報記録媒体の第４実施例
次に、本発明の情報記録媒体の第４実施例について説明する。【０１１０】
（６−１）管理情報
先ず、図１４を参照して、第４実施例に係る管理情報の一具体例について説明する。ここに、図１４は、本発明の情報記録媒体の第４実施例に係る、揺動したエンボスピット列が予め形成されているか否かを示す識別情報（フラグ）等を含む管理情報を示したテーブルである。【０１１１】
図１４に示されるように、例えば第１記録層（Ｌ０層）又は第２記録層（Ｌ１層）の記録領域の一部であるコントロールデータゾーンに記録される管理情報は、（ｉ）２層型、又は単層型であることを示す情報、（ｉｉ）第１記録層（Ｌ０層）において、本発明の揺動したエンボスピット列が予め形成されているか否かを示す識別情報（フラグ）、及び（ｉｉｉ）第２記録層（Ｌ１層）において、本発明の揺動したエンボスピット列が予め形成されているか否かを示す識別情報（フラグ）を含むようにしてもよい。【０１１２】
この結果、例えばＤＶＤプレーヤー等の情報記録再生装置は、再生対象となる情報記録媒体における、再生時の互換性を迅速且つ的確に識別して、当該情報記録媒体を適切に再生することが可能となる。【０１１３】
上述した第１から第４実施例によれば、例えば再生専用の記録層を少なくとも一つ含む複数の記録層を有する多層ハイブリッド型の情報記録媒体における再生時の互換性をより確実且つ簡便に維持させることが可能となる。【０１１４】
上述した実施例では、情報記録媒体の一具体例として、例えば、２層型の再生専用型、追記型、又は書換型の光ディスクや、２層ハイブリッド型の光ディスクについて説明した。加えて、本発明は、例えば、３層型等のマルチプルレイヤ型の光ディスクにも適用可能である。更に、他の高密度記録或いは高転送レート対応の各種の情報記録媒体にも適用可能である。【０１１５】
また、上述した実施例では、情報再生装置の一具体例として、例えば、２層型の再生専用型、追記型、又は書換型の光ディスクに対応した情報記録再生装置や、２層ハイブリッド型の光ディスクに対応した、２種類以上のレーザ光を照射可能な情報記録再生装置について説明した。加えて、本発明は、例えば、３層型等のマルチプルレイヤ型の光ディスクに対応した情報記録再生装置にも適用可能である。更に、他の高密度記録或いは高転送レート対応の各種の情報記録媒体に対応した情報記録再生装置にも適用可能である。【０１１６】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報再生装置及び方法、並びに、再生制御用のコンピュータプログラムもまた本発明の技術的範囲に含まれるものである。
【産業上の利用可能性】
【０１１７】
本発明に係る情報記録媒体、情報再生装置及び方法、並びに、コンピュータプログラムは、例えば、例えば２層型の光ディスク等の多層型の情報記録媒体に利用可能であり、更にＤＶＤプレーヤ等の情報再生装置に利用可能である。また、例えば民生用或いは業務用の各種コンピュータ機器に搭載される又は各種コンピュータ機器に接続可能な情報再生装置等にも利用可能である。
【図１】
2007010827.tif 000002
【図２】
2007010827.tif 000003
【図３】
2007010827.tif 000004
【図４】
2007010827.tif 000005
【図５】
2007010827.tif 000006
【図６】
2007010827.tif 000007
【図７】
2007010827.tif 000008
【図８】
2007010827.tif 000009
【図９】
2007010827.tif 000010
【図１０】
2007010827.tif 000011
【図１１】
2007010827.tif 000012
【図１２】
2007010827.tif 000013
【図１３】
2007010827.tif 000014
【図１４】
2007010827.tif 000015
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
第１波長の第１レーザ光によって第１情報が記録される又は記録された第１記録トラックを有する第１記録層と、
前記第１波長より長い第２波長の第２レーザ光によって、前記第１記録層を透過して第２情報を再生可能な第２記録トラックを有する再生専用の第２記録層とを備え、
少なくとも前記第２記録トラックにおいて、ウォブリングされた一のエンボスピット列が予め形成されており、
前記第１記録層は、前記第２記録層に照射された前記第２レーザ光が透過するときに前記第２レーザ光へ到達する光量を減少させることを特徴とする情報記録媒体。
【請求項２】
（削除）
【請求項３】
前記第１波長は、略青色から略青紫色の光の波長であり、前記第２波長は、略赤色の光の波長であることを特徴とする請求の範囲第２項に記載の情報記録媒体。
【請求項４】
前記第２記録層は、前記第１記録層を透過したレーザ光によって、前記第２情報を記録可能であり、
少なくとも前記第１記録トラックにおいて、前記一のエンボスピット列が予め形成されていることを特徴とする請求の範囲第１項に記載の情報記録媒体。
【請求項５】
前記第１記録層は、レーザ光によって、前記第１情報を記録可能であり、
前記第２記録層は、前記一のエンボスピット列が予め形成されていることを特徴とする請求の範囲第１項に記載の情報記録媒体。
【請求項６】
前記第２記録層は、追記型又は書換型の記録層であることを特徴とする請求の範囲第４項に記載の情報記録媒体。
【請求項７】
前記第２記録トラックにおいて、ウォブリングしない他のエンボスピット列が予め形成されていることを特徴とする請求の範囲第４項に記載の情報記録媒体。
【請求項８】
前記第１記録層、及び前記第２記録層のうち少なくとも一方は、前記一のエンボスピット列が予め形成されているか否かを示す識別情報を記録可能な識別情報記録エリアを有することを特徴とする請求の範囲第１項に記載の情報記録媒体。
【請求項９】
第１情報が記録される又は記録された第１記録トラックを有する第１記録層と、第２情報が記録される又は記録された第２記録トラックを有する第２記録層とを少なくとも備え、前記第１記録トラック、及び前記第２記録トラックのうち少なくとも一方において、ウォブリングされたエンボスピット列が予め形成されている情報記録媒体に対して、前記第１記録層を透過したレーザ光によって、少なくとも前記第２記録層を再生する情報再生装置であって、
前記第１情報、及び前記第２情報を再生する再生手段と、
前記第１記録層における第１光反射率、及び前記第２記録層における第２光反射率が規定の範囲内にあるか否かを判定する第１判定手段と、
前記第１記録トラック、及び前記第２記録トラックがウォブリングしているか否かを判定する第２判定手段と、
前記第１判定手段、及び前記第２判定手段による判定に基づいて、前記第１記録層、及び前記第２記録層のうち少なくとも一方を再生するように、前記再生手段を制御する制御手段と
を備えることを特徴とする情報再生装置。
【請求項１０】
第１情報が記録される又は記録された第１記録トラックを有する第１記録層と、第２情報が記録される又は記録された第２記録トラックを有する第２記録層とを少なくとも備え、前記第１記録トラック、及び前記第２記録トラックのうち少なくとも一方において、ウォブリングされたエンボスピット列が予め形成されている情報記録媒体に対して、前記第１記録層を透過したレーザ光によって、少なくとも前記第２記録層を再生する再生手段を備えた情報再生装置における情報再生方法であって、
前記第１記録層における第１光反射率、及び前記第２記録層における第２光反射率が規定の範囲内にあるか否かを判定する第１判定工程と、
前記第１記録トラック、及び前記第２記録トラックがウォブリングしているか否かを判定する第２判定工程と、
前記第１判定工程、及び前記第２判定工程による判定に基づいて、前記第１記録層、及び前記第２記録層のうち少なくとも一方を再生するように、前記再生手段を制御する制御工程と
を備えることを特徴とする情報再生方法。
【請求項１１】
請求の範囲第９項に記載の情報再生装置に備えられたコンピュータを制御する再生制御用のコンピュータプログラムであって、該コンピュータを、前記再生手段、前記第１判定手段、前記第２判定手段、及び前記制御手段のうち少なくとも一部として機能させることを特徴とするコンピュータプログラム。
【請求項１２】
レーザ光によって第１情報が記録される又は記録された第１記録トラックを有する第１記録層と、
前記レーザ光によって、前記第１記録層を透過して第２情報が記録又は再生される第２記録トラックを有する第２記録層とを備え、
前記第２記録トラックにおいて、ウォブリングされた一のエンボスピット列が予め形成されており、前記第２記録トラックに照射した前記レーザ光の前記第１記録層を透過した反射光量は、前記第１記録トラックに前記レーザ光を照射した場合の反射光量よりも小さいことを特徴とする情報記録媒体。
【請求項１３】
レーザ光によって第１情報が記録される又は記録された第１記録トラックを有する第１記録層と、
前記レーザ光によって、前記第１記録層を透過して第２情報が記録又は再生される第２記録トラックを有する第２記録層とを備え、
前記第１記録トラックにおいて、ウォブリングされた一のエンボスピット列が予め形成されており、前記第１記録トラックに照射した前記レーザ光の前記第１記録層を透過した反射光量は、前記第２記録トラックに前記レーザ光を照射した場合の反射光量よりも小さいことを特徴とする情報記録媒体。
【請求項１４】
前記第２記録層に照射した前記第２レーザ光の反射光量が、全反射した場合の光量の４分の１より小さくなるように、前記第１記録層及び前記第２記録層の反射率又は透過率は設定されていることを特徴とする請求の範囲第１項に記載の情報記録媒体。
【請求項１５】
前記第２記録層に照射した前記第１又は第２レーザ光の反射光量が、前記第１記録層に照射した前記第１又は第２レーザ光の反射光量よりも小さくなるように、前記第１記録層及び前記第２記録層の反射率又は透過率は設定されていることを特徴とする請求の範囲第１項に記載の情報記録媒体。
【請求項１６】
第１波長の第１レーザ光によって第１情報が記録される又は記録された第１記録トラックを有する第１記録層と、
前記第１波長より長い第２波長の第２レーザ光によって、第２情報を再生可能であり、ウォブリングされた一のエンボスピット列が予め形成された、第２記録トラックを有する再生専用の第２記録層とを備える情報記録媒体であって、
前記第１記録層に照射される前記第１レーザ光は、前記第２記録層を透過して照射されるように構成されており、
前記第２記録層に照射された前記第１又は第２レーザ光の反射光量が、前記第１記録層に照射された前記第１又は第２レーザ光の反射光量よりも小さくなるように、前記第１記録層及び前記第２記録層の反射率又は透過率が設定されていることを特徴とする情報記録媒体。
【手続補正書】
【提出日】平成20年1月26日(2008.1.26)
【手続補正１】
【補正対象書類名】特許請求の範囲
【補正対象項目名】全文
【補正方法】変更
【補正の内容】
【特許請求の範囲】
【請求項１】
第１レーザ光によって第１情報を記録又は再生可能な第１記録層と、
第２レーザ光によって、前記第１記録層を透過して第２情報を再生可能なＣＤ−ＲＯＭからなる第２記録層と、を備え、
前記第２記録層にはウォブリングされたエンボスピット列が形成されており、
前記第１記録層を介して前記第２レーザ光を前記第２記録層に照射した場合の反射光量が、ＣＤ−Ｒ又はＣＤ−ＲＷに前記第２レーザ光を照射した場合の反射光量と同等になるように、前記第１記録層の光透過率及び前記第２記録層の光反射率が、設定されていることを特徴とする情報記録媒体。
【請求項２】
第１レーザ光によって第１情報を記録又は再生可能な第１記録層と、
第２レーザ光によって、前記第１記録層を透過して第２情報を再生可能なＤＶＤ−ＲＯＭからなる第２記録層と、を備え、
前記第２記録層にはウォブリングされたエンボスピット列が形成されており、
前記第１記録層を介して前記第２レーザ光を前記第２記録層に照射した場合の反射光量が、ＤＶＤ−Ｒ又はＤＶＤ−ＲＷに前記第２レーザ光を照射した場合の反射光量と同等になるように、前記第１記録層の光透過率及び前記第２記録層の光反射率が、設定されていることを特徴とする情報記録媒体。
【請求項３】
第２レーザ光によって、第２情報を再生可能なＣＤ−ＲＯＭからなる第２記録層と、
第１レーザ光によって、前記第２記録層を透過して第１情報を記録又は再生可能な第１記録層と、を備え、
前記第２記録層にはウォブリングされたエンボスピット列が形成されており、
前記第２レーザ光を前記第２記録層に照射した場合の反射光量が、ＣＤ−Ｒ又はＣＤ−ＲＷに前記第２レーザ光を照射した場合の反射光量と同等になるように、前記第２記録層の光透過率が、設定されていることを特徴とする情報記録媒体。
【請求項４】
第２レーザ光によって、第２情報を再生可能なＤＶＤ−ＲＯＭからなる第２記録層と、
第１レーザ光によって、前記第２記録層を透過して第１情報を記録又は再生可能な第１記録層と、を備え、
前記第２記録層にはウォブリングされたエンボスピット列が形成されており、
前記第２レーザ光を前記第２記録層に照射した場合の反射光量が、ＤＶＤ−Ｒ又はＤＶＤ−ＲＷに前記第２レーザ光を照射した場合の反射光量と同等になるように、前記第２記録層の光透過率が、設定されていることを特徴とする情報記録媒体。
【請求項５】
前記第１記録層又は前記第２記録層には、ウォブリングされた前記エンボスピット列が予め形成されているか否かを示す識別情報が記録されていることを特徴とする請求項１乃至４のうちいずれか一項に記載の情報記録媒体。
【国際調査報告】
2007010827.tif 000016
2007010827.tif 000017
2007010827.tif 000018
2007010827.tif 000019
2007010827.tif 000020
2007010827.tif 000021
2007010827.tif 000022
2007010827.tif 000023